(57)【特許請求の範囲】
【請求項１】
使用者に把持される把持部と、
前記把持部から延出された導電性の支軸部と、
前記支軸部によって支持され、口腔内に挿入されるヘッド部と、
を含み、
前記支軸部は、前記把持部に収容される電池の一方の電極と電気的に接続され、
前記把持部は、前記電池の他方の電極と電気的に接続された導電部を有し、
前記ヘッド部は、頬の内側に接触される先端部を有し、
前記ヘッド部には、前記先端部に接触される液体と、前記支軸部と、を導通可能にする開口部が設けられ、
前記先端部は、
第１方向に延びる複数の第１凸部と、
前記第１凸部に接続され、前記第１方向と交差する第２方向に延びる複数の第２凸部と、
を有する、美顔器。
【請求項２】
請求項１において、
前記開口部は、２つの前記第１凸部の間に位置している、美顔器。
【請求項３】
請求項１または２において、
隣り合う前記第１凸部で形成される第１溝は、少なくとも一方の端部が開放されており、
隣り合う前記第２凸部で形成される第２溝は、少なくとも一方の端部が開放されている、美顔器。
【請求項４】
請求項１ないし３のいずれか１項において、
前記第１方向および前記第２方向と直交する第３方向からみて、前記第１凸部の外縁および前記第２凸部の外縁は、角を有さない、美顔器。
【請求項５】
請求項１ないし４のいずれか１項において、
前記第１方向および前記第２方向と直交する第３方向からみて、前記先端部は、前記先端部の外縁に沿って設けられた第３凸部を有し、
前記第３凸部は、前記第１凸部および前記第２凸部と離間し、
前記第３凸部には、切り欠きが設けられ、
前記開口部は、前記切り欠きに位置している、美顔器。
【請求項６】
請求項１ないし５のいずれか１項において、
前記ヘッド部は、前記把持部に対して、着脱可能である、美顔器。
【請求項７】
請求項１ないし６のいずれか１項において、
前記把持部に収容され、前記先端部を振動させるモーターを含む、美顔器。
【請求項８】
請求項１ないし７のいずれか１項において、
前記支軸部は、前記開口部において露出されている、美顔器。
【請求項９】
請求項１ないし８のいずれか１項において、
前記液体は、口腔用組成物を含み、
前記口腔用組成物は、保湿成分および抗老化成分から選択される１種以上を含む、美顔器。
【請求項１０】
請求項９に記載の美顔器と、
前記口腔用組成物と、
前記口腔用組成物が収容された容器と、
を含む、美顔器キット。
【発明の詳細な説明】
【技術分野】
【０００１】
本発明は、美顔器および美顔器キットに関する。
【背景技術】
【０００２】
近年、数多くのハンディータイプの美顔器が開発されている。
【０００３】
例えば特許文献１には、口の中から頬の裏をマッサージしてほうれい線や口元のシワを改善する美顔器が記載されている。特許文献１には、皮下深い部位のマッサージは、肌表面よりも口内の粘膜側からの方が物理的にアプローチしやすく、効果的であることが記載されている。
【先行技術文献】
【特許文献】
【０００４】
【特許文献１】特開２０２０−３１８４７号公報
【発明の概要】
【発明が解決しようとする課題】
【０００５】
このような美顔器では、美肌効果を向上させることが望まれている。
【０００６】
本発明のいくつかの態様に係る目的の１つは、美肌効果を向上させることができる美顔器を提供することにある。また、本発明のいくつかの態様に係る目的の１つは、上記の美顔器を含む美顔器キットを提供することにある。
【課題を解決するための手段】
【０００７】
本発明に係る美顔器の一態様は、
使用者に把持される把持部と、
前記把持部から延出された導電性の支軸部と、
前記支軸部によって支持され、口腔内に挿入されるヘッド部と、
を含み、
前記支軸部は、前記把持部に収容される電池の一方の電極と電気的に接続され、
前記把持部は、前記電池の他方の電極と電気的に接続された導電部を有し、
前記ヘッド部は、頬の内側に接触される先端部を有し、
前記ヘッド部には、前記先端部に接触される液体と、前記支軸部と、を導通可能にする開口部が設けられている。
【０００８】
なお、本発明に係る記載では、「電気的に接続」という文言を、例えば、「特定の部材（以下「Ａ部材」という）に「電気的に接続」された他の特定の部材（以下「Ｂ部材」という）」などと用いている。本発明に係る記載では、この例のような場合に、Ａ部材とＢ部材とが、直接接して電気的に接続されているような場合と、Ａ部材とＢ部材とが、他の部材を介して電気的に接続されているような場合とが含まれるものとして、「電気的に接続」という文言を用いている。
【０００９】
前記美顔器の一態様において、
前記先端部は、
第１方向に延びる複数の第１凸部と、
前記第１凸部に接続され、前記第１方向と交差する第２方向に延びる複数の第２凸部と、
を有してもよい。
【００１０】
前記美顔器の一態様において、
前記開口部は、２つの前記第１凸部の間に位置していてもよい。
【００１１】
前記美顔器のいずれかの態様において、
隣り合う前記第１凸部で形成される第１溝は、少なくとも一方の端部が開放されており、
隣り合う前記第２凸部で形成される第２溝は、少なくとも一方の端部が開放されていてもよい。
【００１２】
前記美顔器のいずれかの態様において、
前記第１方向および前記第２方向と直交する第３方向からみて、前記第１凸部の外縁および前記第２凸部の外縁は、角を有さなくてもよい。
【００１３】
前記美顔器のいずれかの態様において、
前記第１方向および前記第２方向と直交する第３方向からみて、前記先端部は、前記先端部の外縁に沿って設けられた第３凸部を有し、
前記第３凸部は、前記第１凸部および前記第２凸部と離間し、
前記第３凸部には、切り欠きが設けられ、
前記開口部は、前記切り欠きに位置していてもよい。
【００１４】
前記美顔器のいずれかの態様において、
前記ヘッド部は、前記把持部に対して、着脱可能であってもよい。
【００１５】
前記美顔器のいずれかの態様において、
前記把持部に収容され、前記先端部を振動させるモーターを含んでもよい。
【００１６】
前記美顔器のいずれかの態様において、
前記支軸部は、前記開口部において露出されていてもよい。
【００１７】
前記美顔器のいずれかの態様において、
前記液体は、口腔用組成物を含み、
前記口腔用組成物は、保湿成分及び抗老化成分から選択される１種以上を含んでもよい。
【００１８】
本発明に係る美顔器キットの一態様は、
前記美顔器の一態様と、
前記口腔用組成物と、
前記口腔用組成物が収容された容器と、
を含む。
【発明の効果】
【００１９】
本発明に係る美顔器では、イオン導入によって、液体に含まれる口腔用組成物を、頬の内側から生体内の深部に浸透させることができる。これにより、美肌効果を向上させることができる。
【図面の簡単な説明】
【００２０】
【図１】本実施形態に係る美顔器を模式的に示す正面図。
【図２】本実施形態に係る美顔器を模式的に示す側面図。
【図３】本実施形態に係る美顔器を模式的に示す背面図。
【図４】本実施形態に係る美顔器を模式的に示す正面図。
【図５】本実施形態に係る美顔器の把持部を模式的に示す正面図。
【図６】本実施形態に係る美顔器を模式的に示す正面図。
【図７】本実施形態の変形例に係る美顔器を模式的に示す正面図。
【図８】本実施形態に係る美顔器キットを模式的に示す図。
【発明を実施するための形態】
【００２１】
以下、本発明の好適な実施形態について、図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００２２】
１．  美顔器
１．１．  構成
本実施形態に係る美顔器について、図面を参照しながら説明する。図１は、本実施形態に係る美顔器１００を模式的に示す正面図である。図２は、本実施形態に係る美顔器１００を模式的に示す側面図である。図３は、本実施形態に係る美顔器１００を模式的に示す背面図である。図４は、本実施形態に係る美顔器１００を模式的に示す正面図である。
【００２３】
なお、図１〜図３は、キャップ部４０が装着されていない状態の美顔器１００を示している。図４は、キャップ部４０が装着された状態の美顔器１００を示している。また、図１〜４では、互いに直交する３つの軸として、Ｘ軸、Ｙ軸、およびＺ軸を図示している。
【００２４】
美顔器１００は、図１〜図４に示すように、例えば、把持部１０と、支軸部２０と、ヘッド部３０と、キャップ部４０と、を含む。
【００２５】
把持部１０は、使用者に把持される部分である。把持部１０は、例えば、Ｙ軸方向に長手方向を有する形状である。把持部１０のＹ軸方向の大きさは、例えば、ヘッド部３０のＹ軸方向の大きさよりも大きい。
【００２６】
把持部１０は、図１〜図３に示すように、例えば、絶縁部１１と、導電部１２と、電池キャップ１３と、を有している。ここで、図５は、絶縁部１１を模式的に示す図である。図５では、互いに直交する３つの軸として、Ｘ軸、Ｙ軸、およびＺ軸を図示している。絶縁部１１は、図５に示すように、導電部１２が固定される導電部固定部１１ａと、電池キャップ１３が係合される電池キャップ係合部１１ｂと、を有している。
【００２７】
把持部１０は、例えば、図５に示すような略棒状の絶縁部１１に円環状の導電部１２を挿入して導電部固定部１１ａに導電部１２を固定させ、その後、電池キャップ係合部１１ｂに電池キャップ１３を係合させて形成される。導電部固定部１１ａと導電部１２との固定方法は、特に限定されないが、例えば、超音波接合が挙げられる。電池キャップ１３は、絶縁部１１の電池キャップ係合部１１ｂに着脱可能に係合されている。
【００２８】
絶縁部１１および電池キャップ１３の材質は、例えば、絶縁性樹脂である。具体的には、絶縁部１１および電池キャップ１３の材質は、ＡＢＳ（acrylonitrile butadiene styrene）樹脂である。なお、絶縁部１１および電池キャップ１３の材質は、ＡＢＳ樹脂に限定されず、例えば、ポリエーテル、ポリエステル、ポリアミド、ポリイミド、ポリエチレングリコール、ポリエチレンオキシド、ポリアクリレート、ポリメタクリレートなどであってもよい。
【００２９】
導電部１２の材質は、例えば、ＡＢＳ樹脂などの絶縁性樹脂に、ニッケルなどのめっき処理を施した樹脂めっきである。なお、導電部１２の材質は、樹脂めっきに限定されず、例えば、金属であってもよい。
【００３０】
把持部１０の内部には、図１に示すように、例えば、電池１４と、発光体１５と、モーター１６と、が収容されている。把持部１０の内部には、例えば、電池１４、発光体１５、およびモーター１６が収容できるような空洞が設けられている。
【００３１】
電池１４は、例えば、アルカリ乾電池、マンガン乾電池などの乾電池である。電池１４は、第１電極（一方の電極）１４ａと、第２電極（他方の電極）１４ｂと、を有している。第１電極１４ａは、例えば、マイナスの電極である。第２電極１４ｂは、例えば、プラスの電極である。図示の例では、第１電極１４ａは、第２電極１４ｂよりも＋Ｙ軸方向に位置している。第１電極１４ａは、支軸部２０と電気的に接続される。第２電極１４ｂは、導電部１２と電気的に接続される。電池１４を交換する場合は、電池キャップ１３を絶縁部１１から取り外して行う。
【００３２】
発光体１５は、例えば、電池１４の＋Ｙ軸方向に設けられている。発光体１５は、例えば、ＬＥＤ（Light Emitting Diode）である。発光体１５は、電池１４の第１電極１４ａおよび第２電極１４ｂと電気的に接続されて、発光する。発光体１５で発せられた光は、把持部１０の絶縁部１１に設けられた透過部１７を透過して、美顔器１００の外部に射出される。これにより、使用者は、電池１４の残量を知ることができる。
【００３３】
モーター１６は、例えば、発光体１５の＋Ｙ軸方向に設けられている。モーター１６は、電池１４の第１電極１４ａおよび第２電極１４ｂと電気的に接続されて駆動し、ヘッド部３０を振動させる。モーター１６は、ヘッド部３０を振動させることができれば、特に限定されないが、例えば、偏心モーターである。
【００３４】
モーター１６および発光体１５は、把持部１０の絶縁部１１に設けられたスイッチ１８が押されることによってＯＮ状態となるように構成されている。具体的には、スイッチ１８が押されることより、モーター１６は、第１電極１４ａおよび第２電極１４ｂと電気的に接続されて駆動し、発光体１５は、第１電極１４ａおよび第２電極１４ｂと電気的に接続されて発光する。さらに、スイッチ１８が押されることにより、美顔器１００は、第１電極１４ａと支軸部２０とが電気的に接続されるように構成されている。
【００３５】
モーター１６および発光体１５は、ＯＮ状態から再度スイッチ１８が押されることによってＯＦＦ状態となるように構成されている。具体的には、スイッチ１８が押されることより、モーター１６は、第１電極１４ａおよび第２電極１４ｂとの電気的接続が解除されて駆動が停止され、発光体１５は、第１電極１４ａおよび第２電極１４ｂとの電気的接続が解除されて発光が停止する。さらに、スイッチ１８が押されることにより、美顔器１００は、第１電極１４ａと支軸部２０との電気的接続が解除される。
【００３６】
なお、美顔器１００は、スイッチ１８の押下に関わらず、常に、第１電極１４ａと支軸部２０とが電気的に接続されている構成を有していてもよい。
【００３７】
把持部１０のヘッド部３０と接続される側には、第１係合部１９が設けられている。第１係合部１９は、ヘッド部３０の第２係合部３９と係合可能である。第１係合部１９は、第２係合部３９と係合することができれば、その形状は特に限定されない。
【００３８】
支軸部２０は、把持部１０から延出している。具体的には、支軸部２０は、図１に示すように、把持部１０の＋Ｙ軸方向の端部から、ヘッド部３０の先端部３１まで、延出して
いる。支軸部２０は、例えば、棒状の形状である。支軸部２０は、導電性である。支軸部２０の材質は、例えば、ＳＵＳ（Steel Use Stainless）である。支軸部２０および把持部１０は、特に限定されないが、例えば、インサート成形によって形成される。
【００３９】
ヘッド部３０は、支軸部２０によって支持されている。ヘッド部３０の材質は、例えば、シリコーン樹脂、ＥＰＤＭ（エチレンプロピレンジエンゴム）、ＴＰＵ（熱可塑性ポリウレタン）などである。ヘッド部３０がシリコーン樹脂であれば、ヘッド部３０は、適度な柔らかさを有することができる。ヘッド部３０の材質がＥＰＤＭまたはＴＰＵであれば、射出成形によってヘッド部３０を形成することができる。
【００４０】
ヘッド部３０は、美顔器１００の使用時に、口腔内に挿入される。ヘッド部３０は、口腔内に挿入されて、頬の内側に接触される先端部３１を有している。ここで、図６は、美顔器１００を模式的に示す正面図であって、先端部３１近傍を示す図である。図６では、互いに直交する３つの軸として、Ｘ軸、Ｙ軸、およびＺ軸を図示している。
【００４１】
先端部３１の外縁は、図６に示すように、Ｚ軸方向からみて、角を有さない。そのため、使用者は、痛みを感じることなく、先端部３１を頬の内側に接触させることができる。なお、「角」とは、２つの線分が交わって構成される部分のことである。
【００４２】
先端部３１は、第１方向に延びる複数の第１凸部３２と、第１方向と交差する第２方向に延びる複数の第２凸部３３と、を有している。第１方向は、Ｚ軸方向からみて、Ｘ軸方向およびＹ軸方向に対して傾いた方向である。第２方向は、Ｚ軸方向からみて、Ｘ軸方向およびＹ軸方向に対して傾いた方向である。複数の第１凸部３２および複数の第２凸部３３によって、先端部３１の表面３１ａは、凹凸形状を有している。
【００４３】
先端部３１の表面３１ａにおいて、複数の第１凸部３２は、例えば、所定の間隔で配列されている。複数の第２凸部３３は、例えば、所定の間隔で配列されている。図示の例では、複数の第１凸部３２のうちの第１凸部３２ａに、複数の第２凸部３３が接続されている。複数の第２凸部３３のうちの第２凸部３３ａに、複数の第１凸部３２が接続されている。
【００４４】
先端部３１の表面３１ａには、隣り合う第１凸部３２によって、第１溝３４が形成されている。第１溝３４は、第１凸部３２の延出方向である第１方向に沿って形成されている。第１溝３４の少なくとも一方の端部は、開放されている。具体的には、第２凸部３３ａに接続された第１凸部３２によって形成される第１溝３４では、一方の端部３４ａは、開放されており、他方の端部３４ｂは、第２凸部３３ａによって塞がれている。第２凸部３３ａと離間している第１凸部３２によって形成される第１溝３４では、両方の端部が開放されている。
【００４５】
先端部３１の表面３１ａには、隣り合う第２凸部３３によって、第２溝３５が形成されている。第２溝３５は、第２凸部３３の延出方向である第２方向に沿って形成されている。第２溝３５の少なくとも一方の端部は、開放されている。具体的には、第１凸部３２ａに接続された第２凸部３３によって形成される第２溝３５では、一方の端部３５ａは、開放されており、他方の端部３５ｂは、第１凸部３２ａによって塞がれている。先端部３１の表面３１ａには、第１凸部３２および第２凸部３３によって囲まれる空間が形成されていない。
【００４６】
先端部３１の表面３１ａをＺ軸方向からみて、第１凸部３２の外縁および第２凸部３３の外縁は、角を有さない。図示の例では、第１凸部３２の外縁および第２凸部３３の外縁は、直線と、円弧と、で構成されている。
【００４７】
先端部３１には、開口部３６が設けられている。図示の例では、先端部３１は、開口部３６の−Ｙ軸方向の端部３６ａよりも＋Ｙ軸方向に位置する部分（ヘッド部３０の部分）である。開口部３６は、複数の第１凸部３２のうちの２つの第１凸部３２ｂ，３２ｃの間に設けられている。図示の例では、開口部３６は、第１凸部３２および第２凸部３３と離間している。支軸部２０は、開口部３６において露出されている。開口部３６は、先端部３１に接触される液体と、支軸部２０と、を導通可能にする。
【００４８】
ヘッド部３０は、図１に示すように、先端部３１から一体的にくびれて延出しているシャンク部３７を有している。シャンク部３７には、支軸部２０が挿入される支軸部挿入孔３８が設けられている。支軸部挿入孔３８は、開口部３６と連通している。シャンク部３７の把持部１０と接続される側には、把持部１０に設けられた第１係合部１９と係合する第２係合部３９が設けられている。第２係合部３９は、第１係合部１９と係合することができれば、その形状は特に限定されない。第２係合部３９によって、ヘッド部３０は、把持部１０に対して、着脱可能である。
【００４９】
キャップ部４０は、図４に示すように、把持部１０の絶縁部１１、およびヘッド部３０を覆って設けられている。図示に示す例では、キャップ部４０は、把持部１０の導電部１２および電池キャップ１３を覆っていない。キャップ部４０は、把持部１０に対して、着脱可能である。キャップ部４０の材質は、例えば、絶縁部１１と同じである。
【００５０】
１．２．  液体
液体は、美顔器１００を使用する際に、先端部３１に接触される。液体は、例えば、使用者の唾液のみでも構わないが、口腔用組成物を含むことが好ましい。美顔器１００を使用する際に、先端部３１に液体を接触させながら頬の内側をマッサージすることにより、頬の内側からのイオン導入性が向上する。また、前記液体が、保湿成分や抗老化成分が配合された口腔用組成物を含む場合、マイナスイオン導入による相乗効果により口腔内の内側からこれらの成分を効果的に吸収させて皮膚の状態を健やかに保つことができる。すなわち、人間の頬の内側は通常マイナスにチャージしており、そこに先端部３１を接触させてマイナスイオンを導入させると、静電反発力が生じることで保湿成分や抗老化成分を頬の内側から浸透させようとする作用が生じるのである。なお、「先端部３１に接触される液体」は、流動性を有している状態であってもよいし、高い粘性を持って流動性を失ったジェル状の状態であってもよい。
【００５１】
かかる口腔用組成物は、主要な液状媒体として水を含有する。水の含有量は、口腔用組成物１００質量％中に、５０〜９９質量％であることが好ましく、６０〜９５質量％であることがより好ましい。
【００５２】
かかる口腔用組成物は、抗老化（抗シワ、抗たるみ、抗糖化等）成分を含有することが好ましい。抗老化成分としては、ビタミンＣ誘導体、Ｌ−オキシプロリン、Ｎ−アセチル−Ｌ−ヒドロキシプロリン、Ｎ−アセチルグルコサミン、Ｎ−ラウロイル−Ｌ−グルタミン酸ジ（フィトステリル・２−オクチルドデシル）、アーチチョークエキス、アスタキサンチン、アマチャエキス、イチョウ葉エキス、ウコンエキス、エイジツエキス、オウゴンエキス、オタネニンジン根エキス、オリーブ葉エキス、加水分解コラーゲン（液）、加水分解コンキオリン（液）、加水分解卵黄膜、カッコンエキス、カニナバラ果実エキス、紅茶エキス、サンショウエキス、シャクヤクエキス、スイカズラエキス、スギナエキス、スターフルーツ葉エキス、セージエキス、ゼニアオイエキス、ダイズエキス、チャ葉エキス、チョウウジエキス、ツボクサエキス、トウキエキス、トコトリエノール、ドクダミエキス、トマトエキス、ナイアシンアミド、ニコチン酸アミド、ニンジンエキス、ノバラエキス、パルミチン酸レチノール、ブドウ種子エキス、プラセンタエキス、ベニバナエキス、
マツエキス、マロニエエキス、ムクロジエキス、メリッサエキス、ユーカリエキス、ヨモギエキス、ローズマリーエキス等が挙げられる。これらの抗老化成分は、１種単独で使用してもよく、２種以上組み合わせて使用してもよい。抗老化成分の含有量は、口腔用組成物１００質量％中に、０．０１〜１０質量％であることが好ましく、０．１〜８質量％であることがより好ましい。
【００５３】
かかる口腔用組成物は、保湿成分を含有することが好ましい。保湿成分としては、１，２−オクタンジオール、１，２−ヘキサンジオール、１，２−ペンタンジオール、１，３−ブチレングリコール、Ｄ−マンニット、ＤＬ−アラニン、Ｌ−アスパラギン酸、Ｌ−アラニン、Ｌ−アルギニン、Ｌ−イソロイシン、Ｌ−オキシプロリン、Ｌ−スレオニン、Ｌ−セリン、Ｌ−チロシン、Ｌ−バリン、Ｌ−ヒスチジン、Ｌ−フェニルアラニン、Ｌ−プロリン、Ｌ−リジン液、Ｌ−ロイシン、γ−アミノ酪酸、アシタバエキス、アスパラギン酸、ヒアルロン酸、ヒアルロン酸ナトリウム、ヒアルロン酸誘導体、アロエエキス、エクトイン、塩酸リジン、オウバクエキス、オウレンエキス、オクラエキス、オランダカラシエキス、オレンジエキス、加水分解エラスチン、加水分解シルク（液）、キウイエキス、グルコース、グルタミン、グルタミン酸、グルタミン酸ナトリウム、グレープフルーツエキス、コメヌカエキス、コレステロール、コンドロイチン硫酸ナトリウム、サイシンエキス、サイタイエキス、サクシノイルアテロコラーゲン（液）、サンザシエキス、ジオウエキス、シソエキス、シラカバエキス、水溶性コラーゲン、水溶性プロテオグリカン、セラミド、セリシン、セリン、タイソウエキス、タウリン、デキストラン、トウニンエキス、トリメチルグリシン、トレオニン、トレハロース、乳酸ナトリウム、乳糖、尿素、ニンニクエキス、パセリエキス、ハトムギ種子エキス、ハチミツ、バリン、ビオチン、プロポリスエキス、プロリン、メチルグルセス−１０、メチルグルセス−２０、ユズエキス、ユビキノン、ユビデカレノン、リンゴエキス、レイシエキス、レシチン、レモンエキス、ローヤルゼリーエキス等が挙げられる。これらの保湿成分は、１種単独で使用してもよく、２種以上組み合わせて使用してもよい。保湿成分の含有量は、口腔用組成物１００質量％中に、０．０１〜１０質量％であることが好ましく、０．１〜８質量％であることがより好ましい。
【００５４】
かかる口腔用組成物は、有効成分をさらに含有してもよい。口腔用組成物に使用される有効成分としては、例えば、アスコルビン酸、アスコルビン酸ナトリウム、ε−アミノカプロン酸、グリチルリチン酸、グリチルリチン酸二カリウム、グリチルリチン酸モノアンモニウム、β−グリチルレチン酸、ハッカ油、ユーカリ油、ヒノキチオール、酢酸ＤＬ−α−トコフェロール、ニコチン酸ｄｌ−α−トコフェロール、アラントイン、イソプロピルメチルフェノール、ｌ−メントール、ｄｌ−メントール等が挙げられる。これらの有効成分は、１種単独で使用してもよく、２種以上組み合わせて使用してもよい。有効成分は、口腔用組成物の医薬部外品における承認基準内の量を配合することができる。
【００５５】
かかる口腔用組成物は、口腔内での潤いを保つために、湿潤剤をさらに含有してもよい。このような湿潤剤としては、グリセリン、ソルビトール、プロピレングリコール、ポリエチレングリコール、キシリトール、マルチトール、エリスリトール、ラクトール等が挙げられる。これらの湿潤剤は、１種単独で使用してもよく、２種以上組み合わせて使用してもよい。湿潤剤の含有量は、口腔用組成物１００質量％中に、５〜４０質量％であることが好ましく、８〜３５質量％であることがより好ましく、１０〜３０質量％であることが特に好ましい。
【００５６】
かかる口腔用組成物は、口腔内で唾液により希釈されたときの粘度低下を低減するために、水溶性高分子をさらに含有してもよい。このような水溶性高分子としては、カルボキシメチルセルロースナトリウム、ヒドロキシエチルセルロース、ヒドロキシプロピルセルロース、ポリアクリル酸ナトリウム、キサンタンガム、アルギン酸ナトリウム等が挙げら
れる。これらの水溶性高分子は、１種単独で使用してもよく、２種以上組み合わせて使用してもよい。水溶性高分子の含有量は、口腔用組成物１００質量％中に、０．１〜３質量％であることが好ましく、０．３〜２質量％であることがより好ましく、０．５〜１．５質量％であることが特に好ましい。
【００５７】
かかる口腔用組成物の２５℃での粘度は、好ましくは５００〜３０，０００ｍＰａ・ｓであり、より好ましくは１，０００〜２０，０００ｍＰａ・ｓであり、特に好ましくは２，０００〜１５，０００ｍＰａ・ｓである。口腔用組成物の粘度が前記範囲にあると、先端部３１から口腔用組成物が垂れ落ちにくくなるので使用性が向上する。また、口腔内で唾液により希釈されても粘度低下を低減でき、口腔内での滞留性も向上する。口腔用組成物の粘度は、温度を２５℃に制御した、Ｂ型粘度計を用いて測定することができる。
【００５８】
かかる口腔用組成物は、上記成分以外の添加剤が含まれていてもよい。このような添加剤としては、細胞賦活成分、エモリエント成分、抗炎症成分、血行促進成分、収れん成分、界面活性剤、抗菌剤、安定化剤、香料、甘味剤、着色剤、保存剤等が挙げられる。
【００５９】
かかる口腔用組成物の製造方法は、特に制限されず、例えば真空撹拌装置を用いて上記成分を適宜混合撹拌すればよい。
【００６０】
１．３．  使用方法
美顔器１００の使用方法としては、まず、使用者は、上記の口腔用組成物が収容された容器から、口腔用組成物を取り出し、美顔器１００の先端部３１に接触させる。次に、使用者は、スイッチ１８を押して、モーター１６を駆動させ、さらに、支軸部２０と電池１４の第１電極１４ａとを電気的に接続される。そして、使用者は、導電部１２に手を触れながら把持部１０を把持し、ヘッド部３０を口腔内に挿入させて、先端部３１を頬の内側に接触させる。これにより、第２電極１４ｂ、導電部１２、使用者の手、体、頬、先端部３１に接触されている液体、開口部３６に溜まった液体、支軸部２０、および第１電極１４ａという経路で電流が流れる。この電流によって、液体に含まれる口腔用組成物を、頬の内側から生体内の深部に浸透させることができる。
【００６１】
このように、美顔器１００では、イオン導入によって、口腔用組成物を、頬の内側から生体内の深部に浸透させることができる。さらに、美顔器１００では、モーター１６によって、複数の第１凸部３２および複数の第２凸部３３が設けられた先端部３１を振動させて、頬の内側をマッサージすることができる。
【００６２】
１．４．  作用効果
美顔器１００では、支軸部２０は、把持部１０に収容される電池１４の第１電極１４ａと電気的に接続され、把持部１０は、電池１４の第２電極１４ｂと電気的に接続された導電部１２を有し、ヘッド部３０は、頬の内側に接触される先端部３１を有し、ヘッド部３０には、先端部３１に接触される液体と、支軸部２０と、を導通可能にする開口部３６が設けられている。そのため、美顔器１００では、上記のように、イオン導入によって、液体に含まれる口腔用組成物を、頬の内側から生体内の深部に浸透させることができる。これにより、美顔器１００では、美肌効果を向上させることができる。
【００６３】
美顔器１００では、先端部３１は、第１方向に延びる複数の第１凸部３２と、第１凸部３２に接続され、第１方向と交差する第２方向に延びる複数の第２凸部３３と、を有する。このように美顔器１００では、２つの異なる方向に延びる複数の凸部を有しているため、美顔器１００を使用する際に、液体を容易に先端部３１に留めておくことができる。例えば１つの方向に延びる凸部しか先端部に設けられていない場合は、凸部の延出方向に沿って先端部から液体が流れてしまい、頬の内側と液体との導通をとることが難しくなる。
一方、３つ以上の異なる方向に延びる複数の凸部が先端部に設けられている場合、使用者は、ザラザラした不快感を覚える場合ある。美顔器１００では、２つの異なる方向に延びる複数の凸部によって、使用者に不快感を与えることなく、使用者の頬と液体との導通を確保することができる。
【００６４】
美顔器１００では、開口部３６は、２つの第１凸部３２の間に位置している。そのため、美顔器１００では、２つの第１凸部３２の間を流れる液体を、開口部３６に導くことができる。そのため、使用者の頬と液体との導通を確保し易い。
【００６５】
美顔器１００では、隣り合う第１凸部３２で形成される第１溝３４は、少なくとも一方の端部が開放されており、隣り合う第２凸部３３で形成される第２溝３５は、少なくとも一方の端部が開放されている。そのため、先端部３１には、第１凸部３２および第２凸部３３によって囲まれる空間が形成されていない。これにより、使用者の頬と支軸部２０とを電気的に接続し易い。例えば第１凸部および第２凸部によって囲まれる空間が形成されると、該空間に液体が溜まり、該空間に溜まった液体は、開口部に流れ込まなくなる。そのため、使用者の頬と支軸部とを電気的に接続できない場合がある。
【００６６】
美顔器１００では、第１方向および第２方向と直交する第３方向（Ｚ軸方向）からみて、第１凸部３２の外縁および第２凸部３３の外縁は、角を有さない。そのため、使用者は、痛みを感じることなく、先端部３１を頬の内側に接触させることができる。
【００６７】
美顔器１００では、ヘッド部３０は、把持部１０に対して、着脱可能である。そのため、美顔器１００では、例えば、開口部３６に流れ込んで支軸部２０に付着した液体を、把持部１０からヘッド部３０を外して洗浄することができる。さらに、例えば、親子などで、把持部１０を共通として、別々のヘッド部３０を使用することができる。
【００６８】
美顔器１００では、把持部１０に収容され、先端部３１を振動させるモーター１６を含む。そのため、美顔器１００では、先端部３１を振動させて、頬の内側をマッサージすることができる。
【００６９】
美顔器１００では、支軸部２０は、開口部３６において露出されている。そのため、美顔器１００では、開口部３６に流れ込んだ液体を、より確実に支軸部２０に接触させることができる。
【００７０】
美顔器１００では、先端部３１に接触される液体は、口腔用組成物を含み、口腔用組成物は、保湿成分および抗老化成分から選択される１種以上を含むことが好ましい。これにより、美顔器１００では、皮膚に有効な成分を、頬の内側から生体内の深部に浸透させることができる。
【００７１】
１．５．  変形例
次に、本実施形態の変形例に係る美顔器について、図面を参照しながら説明する。図７は、本実施形態の変形例に係る美顔器２００を模式的に示す正面図である。図７では、互いに直交する３つの軸として、Ｘ軸、Ｙ軸、およびＺ軸を図示している。以下、本実施形態の変形例に係る美顔器２００において、上述した本実施形態に係る美顔器１００の例と異なる点について説明し、同様の点については説明を省略する。
【００７２】
上述した美顔器１００では、図６に示すように、先端部３１は、第１凸部３２と、第２凸部３３と、を有していた。
【００７３】
これに対し、美顔器２００は、図７に示すように、さらに、第３凸部２３０を有してい
る。第３凸部２３０は、第１凸部３２および第２凸部３３と離間している。第３凸部２３０は、Ｚ軸方向からみて、先端部３１の外縁に沿って設けられている。図示の例では、第３凸部２３０は、先端部３１の外縁と接触している。なお、図示はしないが、第３凸部２３０は、先端部３１の外縁と離間していていもよい。
【００７４】
第３凸部２３０には、切り欠き２３２が設けられている。開口部３６は、切り欠き２３２に位置している。すなわち、Ｚ軸方向からみて、開口部３６は、切り欠き２３２と重なっている。
【００７５】
美顔器２００では、第３凸部２３０によって、先端部３１に接触された液体を開口部３６に導くことができる。そのため、美顔器２００では、先端部３１に接触される液体と、支軸部２０と、の導通を、より確実に確保することができる。
【００７６】
２．  美顔器キット
次に、本実施形態に係る美顔器キットについて、図面を参照しながら説明する。図８は、本実施形態に係る美顔器キット３００を模式的に示す図である。
【００７７】
美顔器キット３００は、図８に示すように、上述した美顔器１００と、口腔用組成物３１０と、口腔用組成物３１０が収容された第１容器３２０と、美顔器１００および第１容器３２０が収容された第２容器３３０と、を含む。なお、便宜上、図８では、第２容器３３０を透視して図示している。また、図示はしないが、美顔器キット３００は、美顔器１００の代わりに上述した美顔器２００を含んでもよい。
【００７８】
口腔用組成物３１０については、上述した「１．２．  液体」で記載した口腔用組成物の説明を適用することができる。第１容器３２０の大きさおよび形状は、口腔用組成物３１０を収容することができれば、特に限定されない。第２容器３３０の大きさおよび形状は、美顔器１００および第１容器３２０を収容することができれば、特に限定されない。また、第１容器３２０および第２容器３３０の材質についても、特に限定されない。
【００７９】
上述した実施形態および変形例は一例であって、これらに限定されるわけではない。例えば、各実施形態および各変形例を適宜組み合わせることも可能である。
【００８０】
本発明は、実施の形態で説明した構成と実質的に同一の構成、例えば、機能、方法及び結果が同一の構成、あるいは目的及び効果が同一の構成を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【００８１】
１０…把持部、１１…絶縁部、１１ａ…導電部固定部、１１ｂ…電池キャップ係合部、１２…導電部、１３…電池キャップ、１４…電池、１４ａ…第１電極、１４ｂ…第２電極、１５…発光体、１６…モーター、１７…透過部、１８…スイッチ、１９…第１係合部、２０…支軸部、３０…ヘッド部、３１…先端部、３１ａ…表面、３２，３２ａ，３２ｂ，３２ｃ…第１凸部、３３，３３ａ…第２凸部、３４…第１溝、３４ａ，３４ｂ…端部、３５…第２溝、３５ａ，３５ｂ…端部、３６…開口部、３６ａ…端部、３７…シャンク部、３８…支軸部挿入孔、３９…第２係合部、４０…キャップ部、１００，２００…美顔器、２３０…第３凸部、２３２…切り欠き、３００…美顔器キット、３１０…口腔用組成物、３２０…第１容器、３３０…第２容器
【要約】
【課題】美肌効果を向上させることができる美顔器を提供する。
【解決手段】本発明に係る美顔器１００は、使用者に把持される把持部１０と、把持部１０から延出された導電性の支軸部２０と、支軸部２０によって支持され、口腔内に挿入されるヘッド部３０と、を含み、支軸部２０は、把持部１０に収容される電池１４の一方の電極１４ａと電気的に接続され、把持部１０は、電池１４の他方の電極１４ｂと電気的に接続された導電部１２を有し、ヘッド部３０は、頬の内側に接触される先端部３１を有し、ヘッド部３０には、先端部３１に接触される液体と、支軸部２０と、を導通可能にする開口部３６が設けられている。
【選択図】図１【図１】
0006905770.tif 000002
【図２】
0006905770.tif 000003
【図３】
0006905770.tif 000004
【図４】
0006905770.tif 000005
【図５】
0006905770.tif 000006
【図６】
0006905770.tif 000007
【図７】
0006905770.tif 000008
【図８】
0006905770.tif 000009